(57)【要約】      （修正有）【課題】ロールメディアを使用する際にロールストッカーを簡単に準備できるカッティングプロッタを提供する。【解決手段】被切断媒体が載せられて搬送される作業ステージ３と、作業ステージ３の下方に所定の上下幅の収容空間Ｓを形成する下部フレーム１４（フレーム）と、収容空間Ｓに収容可能なロールストッカー１５とを備える。ロールストッカー１５は、被切断媒体の搬送方向と平行な方向に移動して収容空間Ｓに対して出入りする底板３２と、底板３２の上に設けられてロールメディア１６（ロール状に巻かれた被切断媒体）を回転自在に支持する円筒、第１〜第４のローラ５２，５４（支持部材）とを備えている。【選択図】図３
2020179456.tif 000002
【特許請求の範囲】
【請求項１】
被切断媒体が載せられて搬送される作業ステージと、
前記作業ステージの下方に所定の上下幅の収容空間を形成するフレームと、
前記収容空間に収容可能なロールストッカーとを備え、
前記ロールストッカーは、
前記被切断媒体の搬送方向と平行な方向に移動して前記収容空間に対して出入りする底板と、
前記底板の上に設けられ、ロール状に巻かれた被切断媒体を回転自在に支持する支持部材を備えていることを特徴とするカッティングプロッタ。
【請求項２】
請求項１記載のカッティングプロッタにおいて、
さらに、前記底板の両側部と前記フレームとを連結する連結部材を備え、
前記連結部材は、前記フレームに対して前記搬送方向と平行な方向に移動して前記収容空間に対して出入りするように構成されていることを特徴とするカッティングプロッタ。
【請求項３】
請求項１または請求項２記載のカッティングプロッタにおいて、
さらに、前記ロール状に巻かれた被切断媒体の両端と接触して前記ロール状に巻かれた被切断媒体の長手方向への移動を規制する板状の一対のガイド部材を備え、
前記一対のガイド部材は、
前記底板と平行に延びる状態で前記底板に重なる横置き形態と、
前記底板に対して垂直に起立した起立形態とを切り換え可能に前記底板にそれぞれ支持され、
前記一対のガイド部材のうち一方のガイド部材は、前記長手方向に移動可能であることを特徴とするカッティングプロッタ。
【発明の詳細な説明】
【技術分野】
【０００１】
本発明は、ロール状に巻かれた被切断媒体を回転自在に保持するロールストッカーを備えたカッティングプロッタに関する。
【背景技術】
【０００２】
卓上式のカッティングプロッタに使用する被切断媒体の一つとして、いわゆるロールメディアがある。このロールメディアとは、シート状の被切断媒体をロール状に巻いて形成されている。この種のロールメディアを卓上式のカッティングプロッタに使用する場合は、ロールメディアを回転自在に支持するロールストッカーが用いられている。従来のロールストッカーは、カッティングプロッタとは別に構成されて個別に保管されており、必要に応じてカッティングプロッタの前側近傍に設置される。
【発明の概要】
【発明が解決しようとする課題】
【０００３】
従来のカッティングプロッタは、ロールメディアを使用する場合にその都度ロールストッカーを保管場所からカッティングプロッタの近傍に持ち運ぶ必要がある。このため、従来のカッティングプロッタにおいては、ロールメディアを簡単に使うことができるようにすることが要請されている。
【０００４】
本発明の目的は、ロールメディアを使用する際にロールストッカーを簡単に準備できるカッティングプロッタを提供することである。
【課題を解決するための手段】
【０００５】
この目的を達成するために、本発明に係るカッティングプロッタは、被切断媒体が載せられて搬送される作業ステージと、前記作業ステージの下方に所定の上下幅の収容空間を形成するフレームと、前記収容空間に収容可能なロールストッカーとを備え、前記ロールストッカーは、前記被切断媒体の搬送方向と平行な方向に移動して前記収容空間に対して出入りする底板と、前記底板の上に設けられ、ロール状に巻かれた被切断媒体を回転自在に支持する支持部材とを備えているものである。
【０００６】
本発明は、前記カッティングプロッタにおいて、さらに、前記底板の両側部と前記フレームとを連結する連結部材を備え、前記連結部材は、前記フレームに対して前記搬送方向と平行な方向に移動して前記収容空間に対して出入りするように構成されていてもよい。
【０００７】
本発明は、前記カッティングプロッタにおいて、さらに、前記ロール状に巻かれた被切断媒体の両端と接触して前記ロール状に巻かれた被切断媒体の長手方向への移動を規制する板状のガイド部材を備え、前記ガイド部材は、前記底板と平行に延びる状態で前記底板に重なる収容形態と、前記底板に対して垂直に起立した使用形態とを切り換え可能に前記底板に支持され、前記一対のガイド部材のうち一方のガイド部材は、前記長手方向に移動可能であってもよい。
【発明の効果】
【０００８】
本発明においては、ロールストッカーをカッティングプロッタに内蔵することができ、必要に応じて作業ステージの下方から引き出して使用することができる。
したがって、本発明によれば、ロールメディアを使用する際にロールストッカーを簡単に準備可能なカッティングプロッタを提供することができる。
【図面の簡単な説明】
【０００９】
【図１】本発明に係るカッティングプロッタの斜視図である。
【図２】本発明に係るカッティングプロッタの斜視図である。
【図３】本発明に係るカッティングプロッタの斜視図である。
【図４】下部フレームとロールストッカーの斜視図である。
【図５】右側スライドレールと下部フレームの一部の断面図である。
【図６】右側スライドレールと底板の一部の断面図である。
【図７】メディアガイドを起立させたロールストッカーの斜視図である。
【図８】左側および右側ガイド部材を起立させたロールストッカーの斜視図である。
【図９】左側および右側ガイド部材を起立させたロールストッカーの斜視図である。
【発明を実施するための形態】
【００１０】
以下、本発明に係るカッティングプロッタの一実施の形態を図１〜図９を参照して詳細に説明する。
図１に示すカッティングプロッタ１は、被切断媒体２から図形や文字を切り出すための装置である。以下において、このカッティングプロッタ１の構成を説明するうえで方向を示すにあたっては、被切断媒体２の搬送方向の上流側を前側（図１においては左下側）とし、搬送方向の下流側（図１においては右上側）を後側として行う。また、以下においては、被切断媒体２の搬送方向とは直交する水平方向を左右方向として説明する。すなわち、このカッティングプロッタ１を被切断媒体２の搬送方向の上流側から見た状態で左側をカッティングプロッタ１の左側とし、右側をカッティングプロッタ１の右側として説明する。
【００１１】
この実施の形態によるカッティングプロッタ１は、左右方向の中央部に被切断媒体２が載置される作業ステージ３が設けられている。作業ステージ３は、被切断媒体２の搬送方向に延びるとともに、左右方向に延びるように形成されている。被切断媒体２は、作業ステージ３の上に載置され、作業ステージ３を横切るように設けられたピンチローラ４を含む搬送装置５によって図１において搬送方向の上流側から下流側に送られる。
作業ステージ３の上方近傍には、カッティングペン６を保持する保持部材７が左右方向へ移動可能に設けられている。被切断媒体２のカッティングは、カッティングペン６が被切断媒体２に刺さった状態で保持部材７が左右方向に移動するとともに、被切断媒体２が搬送装置５によって駆動されて前側または後側に移動して行われる。
【００１２】
作業ステージ３より左右方向の一方側（左側には）、作業ステージ３より上方に突出する第１の凸部１１が設けられている。作業ステージ３より左右方向の他方側（右側）には、作業ステージ３より上方に突出する第２の凸部１２が設けられている。これらの第１の凸部１１の上端部と、第２の凸部１２の上端部との間には、左右方向に延びる上部ハウジング１３が設けられている。
【００１３】
作業ステージ３の下方であって、このカッティングプロッタ１の最も下に位置する下部フレーム１４の上には、本発明に係るロールストッカー１５が設けられている。この実施の形態においては、下部フレーム１４が本発明でいう「フレーム」に相当する。ロールストッカー１５は、詳細は後述するが、作業ステージ３の下方に収容可能な大きさとなる収容形態（図２参照）と、図３に示すように、収容形態から後述する各部品を展開させてロールメディア１６を支持する使用形態とを採ることができるように構成されている。ロールメディア１６は、長いシート状の被切断媒体２をロール状に巻いたものである。
【００１４】
下部フレーム１４は、図４に示すように、作業ステージ３と対向する板状の基部１４ａと、この基部１４ａから左側に突出する板状の左側凸部１４ｂと、基部１４ａから右側に突出する板状の右側凸部１４ｃとを有している。基部１４ａは、作業ステージ３の下方に所定の上下幅の収容空間Ｓを形成する。ロールストッカー１５は、収容形態になることにより、収容空間Ｓに前方から出し入れ可能である。左側凸部１４ｂは、第１の凸部１１を支持する。右側凸部１４ｃは、第２の凸部１２を支持する。
【００１５】
基部１４ａと左側凸部１４ｂとの境界部分には、後述するロールストッカー１５の左側スライドレール２１を移動自在に保持する左側ガイド部２２が設けられている。基部１４ａと右側凸部１４ｃとの境界部分には、後述するロールストッカー１５の右側スライドレール２３を移動自在に保持する右側ガイド部２４が設けられている。左側ガイド部２２は、右側ガイド部２４に対して左右方向に対称となるように形成されている。ここでは右側ガイド部２４および右側スライドレール２３の構成を図５および図６を用いて説明し、左側ガイド部２２と左側スライドレール２１の説明は、右側ガイド部２４および右側スライドレール２３の説明で用いた符号と同一の符号を付して省略する。
【００１６】
右側ガイド部２４は、図５に示すように、左右方向においてカッティングプロッタ１の外側（図５においては右側）に位置する第１のガイドレール２５と、この第１のガイドレール２５とは右側スライドレール２３を挟んで対向する第２のガイドレール２６とによって構成されている。
第１および第２のガイドレール２５，２６は、基部１４ａや左側および右側凸部１４ｂ，１４ｃなどの下部フレーム１４の他の部位と一体に形成されており、基部１４ａや左側および右側凸部１４ｂ，１４ｃなどに対して垂直に起立して前後方向（被切断媒体２の搬送方向と平行な方向）に延びている。
【００１７】
第１のガイドレール２５の前端部には、左右方向において第２のガイドレール２６側に向けて突出する第１の係合突起２７が設けられている。第１の係合突起２７は、第１のガイドレール２５から突出する軸部２７ａと、軸部２７ａの先端から上下方向に延びる係合片２７ｂとを備えている。
第２のガイドレール２６は、第１のガイドレール２５より低くなるように形成されている。
【００１８】
左側スライドレール２１および右側スライドレール２３は、請求項２記載の発明でいう「連結部材」に相当するもので、それぞれ前後方向に細長い中空の角柱状に形成されている。この中空の角柱は、図５に示すように、左右方向に分割された二つの部材２８，２９を組み合わせて形成されている。詳述すると、左側および右側スライドレール２１，２３は、左右方向においてカッティングプロッタ１の外側（図５においては右側）に位置して左右方向の中央に向けて（図５においては左方に向けて）開口する有底角筒状の箱体２８と、この箱体２８の開口部分に挿入された蓋体２９とによって構成されている。
箱体２８の底部（左右方向においてカッティングプロッタ１の外側を指向する側部）２８ａには、前後方向に延びる第１の長穴３０が底部２８ａを左右方向に貫通するように形成されている。第１の長穴３０は、左側および右側スライドレール２１，２３の上部に形成されている。
【００１９】
第１の長穴３０は、図４に示すように、箱体２８の前端部から後端部まで延びている。上述した第１のガイドレール２５の第１の係合突起２７は、この第１の長穴３０に移動自在に係合している。このため、左側および右側スライドレール２１，２３は、左側および右側ガイド部２２，２４に対して前後方向に移動可能である。このことは、左側および右側スライドレール２１，２３は、下部フレーム１４に対して被切断媒体２の搬送方向と平行な方向に移動して収容空間Ｓに対して出入りすることが可能であることを意味する。
【００２０】
蓋体２９には、前後方向に延びる第２の長穴３１（図４および図６参照）が形成されている。この第２の長穴３１は、蓋体２９の前端部から後端部まで延びている。この第２の長穴３１は、左側および右側スライドレール２１，２３の下部に形成されている。この第２の長穴３１には、図６に示すように、後述するロールストッカー１５の底板３２に設けられた第２の係合突起３３が移動自在に係合している。
【００２１】
ロールストッカー１５は、図４に示すように、上述した左側スライドレール２１および右側スライドレール２３に第２の係合突起３３を介して連結された底板３２と、この底板３２に支持された第１〜第３の機能部品とによって構成されている。底板３２は、上方から見て左右方向に長い長方形状に形成されている。底板３２の前面には、ロールストッカー１５を作業ステージ３の下方から引き出す際に指を掛けるための凹部３４が形成されている。
【００２２】
第２の係合突起３３は、図７に示すように、底板３２の前端部であって左右方向の両端部に、左右方向において底板３２の外に向かって突出するようにそれぞれ設けられている。この実施形態による第２の係合突起３３は、図６に示すように、底板３２から左右方向の外側（図６においては右側）に向けて突出する軸部３３ａと、軸部３３ａの先端から上下方向に延びる係合片３３ｂとを備えている。この第２の係合突起３３が左側および右側スライドレール２１，２３の第２の長穴３１に係合することにより、底板３２は、左側および右側スライドレール２１，２３に対して前後方向に移動することができるようになる。
【００２３】
このため、底板３２は、左側および右側スライドレール２１，２３が下部フレーム１４に対して前後方向に移動する際の移動ストロークと、底板３２が左側および右側スライドレール２１，２３に対して前後方向に移動する際の移動ストロークの分だけ収容空間Ｓから前方に引き出すことができる。この底板３２は、収容空間Ｓから引き出された状態で作業者（図示せず）によって収容空間Ｓに向けて押されることにより、左側および右側スライドレール２１，２３を前方に向けて押して収容空間Ｓ内に移動させ、その後、収容空間Ｓ内に収容される。
【００２４】
底板３２に支持された第１の機能部品は、図４に示すように収容形態で最も上に位置するメディアガイド４１である。メディアガイド４１は、ロールメディア１６から引き出された被切断媒体２が送られる方向を定めるためのものである。このメディアガイド４１は、図４に示すように底板３２と平行に延びる状態で底板３２に重なる横置き形態と、図７に示すように底板３２に対して起立した起立形態とを切り換え可能に底板３２に揺動自在に取付けられている。メディアガイド４１の先端部には、被切断媒体２を通すためにスリット４２が形成されている。
【００２５】
底板３２に支持された第２の機能部品は、図７において底板３２上の左右方向の両端部に位置する一対の左側ガイド部材４３と右側ガイド部材４４である。これらの左側および右側ガイド部材４３，４４は、ロールメディア１６の長手方向の位置を定めるために、ロールメディア１６の長手方向の両端と接触する。左側ガイド部材４３と右側ガイド部材４４は、図７に示すように底板３２と平行に延びる状態で底板３２に重なる横置き形態と、図８に示すように底板３２に対して垂直に起立した起立形態とを切り換え可能である。この実施の形態による左側ガイド部材４３は、底板３２に回動自在に取付けられている。一方、右側ガイド部材４４は、スライド板４５を介して底板３２に取付けられている。
【００２６】
スライド板４５は、底板３２に左右方向へ移動自在に支持されており、図８に示す右端の位置と、図９に示す左端の位置との間で移動可能である。右側ガイド部材４４は、スライド板４５に回動自在に取付けられている。このため、右側ガイド部材４４は、図８および図９に示すように、ロールメディア１６の長手方向の長さに適合するように左右方向に移動可能である。
左側ガイド部材４３と右側ガイド部材４４とには、小径のロールメディア１６を使用するときにロールメディア１６の軸となる筒体４６（図８参照）が突設されている。筒体４６は、ロールメディア１６を回転自在に支持する。
【００２７】
底板３２に支持された第３の機能部品は、左側ガイド部材４３の右側近傍に位置する第１および第２のローラ５１，５２と、右側ガイド部材４４の左側近傍に位置する第３および第４のローラ５３，５４である。これらの第１〜第４のローラ５１〜５４は、相対的に外径が大きいロールメディア１６の外周面を回転自在に支える。
これらの第１〜第４のローラ５１〜５４は、それぞれ左右方向を軸線方向として回転するように構成されている。第１のローラ５１と第２のローラ５２は、前後方向に並ぶように配置されて底板３２に回転自在に支持されている。第３のローラ５３と第４のローラ５４は、前後方向に並ぶように設けられてスライド板４５に回転自在に支持されている。
【００２８】
上述した左側ガイド部材４３と右側ガイド部材４４は、横置き形態が採られるときにこれらの第１〜第４のローラ５１〜５４と干渉することがなく、高さが低く抑えられるように構成されている。すなわち、左側ガイド部材４３と右側ガイド部材４４は、横置き形態で第１〜第４のローラ５１〜５４が収容される凹部５５を有している。
この実施の形態においては、第１〜第４のローラ５１〜５４と、左側ガイド部材４３および右側ガイド部材４４の筒体４６とが本発明でいう「支持部材」に相当する。
【００２９】
上述したように構成されたカッティングプロッタ１は、被切断媒体２が枚葉シートである場合は、ロールストッカー１５が作業ステージ３の下方に収容された状態で使用される。また、このカッティングプロッタ１においては、被切断媒体２としてロールメディア１６が使用される場合には、ロールストッカー１５が作業ステージ３の下方から前方に引き出され、このロールストッカー１５にロールメディア１６を支持させてカッティングが行われる。
【００３０】
ロールストッカー１５を前方に引くと、左側および右側スライドレール２１，２３が下部フレーム１４から前方に引き出されるとともに、底板３２が左側および右側スライドレール２１，２３から前方に引き出される。ロールストッカー１５を使用するためには、先ず、図７に示すように、メディアガイド４１を起こし、次いで、図８に示すように、左側ガイド部材４３と右側ガイド部材４４とを起立させる。その後、図３に示すように、ロールメディア１６を左側ガイド部材４３と右側ガイド部材４４との間に設置し、ロールメディア１６から被切断媒体２を引き出す。この被切断媒体２は、メディアガイド４１のスリット４２に通されて作業ステージ３に導かれる。
【００３１】
このように、この実施の形態によるカッティングプロッタ１においては、ロールストッカー１５が作業ステージ３の下方に内蔵され、必要に応じて引き出して使用することができる。
したがって、この実施の形態によれば、ロールメディア１６を使用する際にロールストッカー１５を簡単に準備可能なカッティングプロッタを提供することができる。
【００３２】
この実施の形態においては、底板３２の両側部と下部フレーム１４とを連結する左側スライドレール２１と右側スライドレール２３（連結部材）を備えている。これらの左側スライドレール２１と右側スライドレール２３は、下部フレーム１４に対して被切断媒体２の搬送方向と平行な方向に移動して収容空間Ｓに対して出入りするように構成されている。
このため、左側スライドレール２１と右側スライドレール２３の長さ分だけロールストッカー１５を作業ステージ３より前方に離して設置することができる。したがって、ロールストッカー１５がカッティングプロッタ１から外れることを左側スライドレール２１と右側スライドレール２３とによって防ぐ構成を採っているにもかかわらず、前後方向においてロールストッカー１５を設置する位置の自由度が高い。
【００３３】
この実施の形態においては、ロールメディア１６の両端と接触してロールメディア１６の長手方向への移動を規制する板状の左側ガイド部材４３および右側ガイド部材４４を備えている。これらの左側ガイド部材４３と右側ガイド部材４４は、底板３２と平行に延びる状態で底板３２に重なる収容形態と、底板３２に対して垂直に起立した使用形態とを切り換え可能に底板３２に支持されている。
このため、この実施の形態によるロールストッカー１５は、作業ステージ３の下方に収容可能な構成を採っているにもかかわらず、ロールメディア１６を正しく保持することが可能である。
【符号の説明】
【００３４】
１…カッティングプロッタ、２…被切断媒体、３…作業ステージ、１４…下部フレーム（フレーム）、１５…ロールストッカー、１６…ロールメディア、２１…左側スライドレール（連結部材）、２３…右側スライドレール（連結部材）、３２…底板、４３…左側ガイド部材、４４…右側ガイド部材、４５…スライド板、４６…筒体（支持部材）、５１〜５４…第１〜第４のローラ（支持部材）、Ｓ…収容空間。
【図１】
2020179456.tif 000003
【図２】
2020179456.tif 000004
【図３】
2020179456.tif 000005
【図４】
2020179456.tif 000006
【図５】
2020179456.tif 000007
【図６】
2020179456.tif 000008
【図７】
2020179456.tif 000009
【図８】
2020179456.tif 000010
【図９】
2020179456.tif 000011